(57)【特許請求の範囲】
【請求項１】
刈取装置の前部に、横並び状に位置する複数の引起ケースを有する穀稈引起装置を備えているコンバインであって、
前記各引起ケースの背面側に設けられたギヤケースと、隣り合う前記ギヤケース同士を連結する複数の引起横パイプとが、前記引起ケース群の上部側において交互に配置されており、前記各引起横パイプは前記刈取装置の刈取上方フレームに支持されており、前記各ギヤケースを、前記引起横パイプ群の横軸心回りの上下方向に取付け位相が変更可能となるように、隣り合う前記引起横パイプに着脱可能に連結することによって、前記ギヤケース群と前記引起横パイプ群とが前記各引起ケースに対する強度メンバーに構成されており、
前記各ギヤケースの上部側には、隣接する前記引起横パイプに嵌まる挿入ボス部が左右外向きに突出形成されており、前記各引起横パイプにおける左右各端部の外周に形成されたフランジと前記各ギヤケースの上部側とには、前記取付け位相ごとの互いの対応箇所にボルト孔が形成されており、前記各ギヤケースと、隣接する前記引起横パイプとの間において、互いに合致するボルト孔にケース連結ボルトをねじ込むように構成されている、
コンバイン。
【請求項２】
前記各引起横パイプには横長の引起入力横軸を貫通させており、前記各ギヤケースはアルミダイカスト製で筒状に形成されていて、内部に前記引起入力横軸から前記各引起ケースに向かう動力伝達を中継する動力分岐機構を組み込んだ状態でユニット化されており、前記引起入力横軸は、前記各動力分岐機構の上ベベルギヤを一体回転可能に貫通させている、
請求項１に記載したコンバイン。
【請求項３】
前記各ギヤケースの下端部は、これに対応する前記引起ケースの背面側にボルト締結されると共に、前記ギヤケースの中途部から横向き突出した係止ピンに、前記引起ケースの背面側から突出した係合爪を係脱可能に係合させている、
請求項１又は２に記載したコンバイン。
【発明の詳細な説明】
【技術分野】
【０００１】
本願発明は、刈取装置にて圃場の未刈り穀稈を刈り取りながら、脱穀装置にてその刈取り穀稈を脱穀して穀粒を収穫するコンバインに係り、より詳しくは、刈取装置に穀稈引起装置を備えているコンバインに関するものである。
【背景技術】
【０００２】
従来のコンバインは、走行機体の前側に昇降可能に配設した刈取装置にて、圃場の未刈り穀稈を刈り取り、刈り取った穀稈を脱穀装置にて脱穀して、穀粒を収集するように構成されている（特許文献１参照）。また、刈取装置における前側の分草板を分草位置から前方に回動可能に設けることも公知である（特許文献２参照）。
【先行技術文献】
【特許文献】
【０００３】
【特許文献１】特開平６−３３５３１４号公報
【特許文献２】特開平６−１１４２３号公報
【発明の概要】
【発明が解決しようとする課題】
【０００４】
特許文献１では、圃場の未刈り穀稈を引起す穀稈引起装置を、上部の伝動部を支点に下方側を上方に移動させ、穀稈搬送装置の掃除等を簡単に実行できるように構成されているが、多条刈り用の複数の引起ケースを一体的に連結した状態で穀稈引起装置を構成した場合、刈取り条数の異なる多種のコンバインにおいて、穀稈引起装置を刈取り条数に対応させて格別に設計製造する必要があるから、穀稈引起装置の製造コストを簡単に低減できないという問題があった。また、穀稈引起装置のメンテナンス作業性を向上させ難い等の問題もあった。
【０００５】
そこで、本願発明は、穀稈引起装置のメンテナンス作業性を向上できるコンバインを提供することを技術的課題とするものである。
【課題を解決するための手段】
【０００６】
この技術的課題を達成するため、請求項１の発明は、刈取装置の前部に、横並び状に位置する複数の引起ケースを有する穀稈引起装置を備えているコンバインであって、前記各引起ケースの背面側に設けられたギヤケースと、隣り合う前記ギヤケース同士を連結する複数の引起横パイプとが、前記引起ケース群の上部側において交互に配置されており、前記各引起横パイプは前記刈取装置の刈取上方フレームに支持されており、前記各ギヤケースを、前記引起横パイプ群の横軸心回りの上下方向に取付け位相が変更可能となるように、隣り合う前記引起横パイプに着脱可能に連結することによって、前記ギヤケース群と前記引起横パイプ群とが前記各引起ケースに対する強度メンバーに構成されており、前記各ギヤケースの上部側には、隣接する前記引起横パイプに嵌まる挿入ボス部が左右外向きに突出形成されており、前記各引起横パイプにおける左右各端部の外周に形成されたフランジと前記各ギヤケースの上部側とには、前記取付け位相ごとの互いの対応箇所にボルト孔が形成されており、前記各ギヤケースと、隣接する前記引起横パイプとの間において、互いに合致するボルト孔にケース連結ボルトをねじ込むように構成されているというものである。
【０００７】
請求項２の発明は、請求項１に記載したコンバインにおいて、前記各引起横パイプには横長の引起入力横軸を貫通させており、前記各ギヤケースはアルミダイカスト製で筒状に形成されていて、内部に前記引起入力横軸から前記各引起ケースに向かう動力伝達を中継する動力分岐機構を組み込んだ状態でユニット化されており、前記引起入力横軸は、前記各動力分岐機構の上ベベルギヤを一体回転可能に貫通させているというものである。
【０００８】
【０００９】
請求項３の発明は、請求項１又は２に記載したコンバインにおいて、前記各ギヤケースの下端部は、これに対応する前記引起ケースの背面側にボルト締結されると共に、前記ギヤケースの中途部から横向き突出した係止ピンに、前記引起ケースの背面側から突出した係合爪を係脱可能に係合させているというものである。
【発明の効果】
【００１０】
請求項１の発明によると、刈取装置の前部に、横並び状に位置する複数の引起ケースを有する穀稈引起装置を備えているコンバインであって、前記各引起ケースの背面側に設けられたギヤケースと、隣り合う前記ギヤケース同士を連結する複数の引起横パイプとが、前記引起ケース群の上部側において交互に配置されており、前記各引起横パイプは前記刈取装置の刈取上方フレームに支持されており、前記各ギヤケースを、前記引起横パイプ群の横軸心回りの上下方向に取付け位相が変更可能となるように、隣り合う前記引起横パイプに着脱可能に連結することによって、前記ギヤケース群と前記引起横パイプ群とが前記各引起ケースに対する強度メンバーに構成されているから、前記ギヤケース群と前記引起横パイプ群とによって、前記各引起ケースや前記刈取装置を高剛性に支持できる。従って、収穫作業時における未刈り穀稈の取り込みで前記引起ケース等の姿勢が歪んで、その後刈り取られた穀稈の取り込み姿勢や取り込み量がばらつくおそれを抑制できる。
また、前記各ギヤケースの上部側には、隣接する前記引起横パイプに嵌まる挿入ボス部が左右外向きに突出形成されており、前記各引起横パイプにおける左右各端部の外周に形成されたフランジと前記各ギヤケースの上部側とには、前記取付け位相ごとの互いの対応箇所にボルト孔が形成されており、前記各ギヤケースと、隣接する前記引起横パイプとの間において、互いに合致するボルト孔にケース連結ボルトをねじ込むように構成されているから、前記引起ケースを持上げ支持する部材を特別に設ける必要がない。前記ケース連結ボルトを利用して、前記引起ケースを上方回動姿勢に簡単に支持できる。作業者が一方の手で前記引起ケースを持上げながら、他方の手で前記ケース連結ボルトを装着して、前記穀稈搬送装置の前方を開放できる一方、作業者が一方の手で前記引起ケースを持上げた姿勢に支持しながら、他方の手で前記ケース連結ボルトを取外して、前記引起ケースを下降させることができる。前記引起ケースや前記ギヤケースを分解することなく、穀稈引起し位置から上方の非作業位置に前記引起ケースを簡単に移動させることができる。
【００１１】
請求項２の発明によると、請求項１に記載したコンバインにおいて、前記各引起横パイプには横長の引起入力横軸を貫通させており、前記各ギヤケースはアルミダイカスト製で筒状に形成されていて、内部に前記引起入力横軸から前記各引起ケースに向かう動力伝達を中継する動力分岐機構を組み込んだ状態でユニット化されており、前記引起入力横軸は、前記各動力分岐機構の上ベベルギヤを一体回転可能に貫通させているから、コンバインの製造に際して、動力分岐機構内蔵の前記ギヤケースを先行して組み立てておいてから、前記各引起ケースにユニットごと組み付けできる。従って、コンバインの製造ライン中において、前記穀稈引起装置の組付け工数を低減でき、製造コストの低減に寄与できる。
【００１２】
【００１３】
請求項３の発明は、請求項１又は２に記載したコンバインにおいて、前記各ギヤケースの下端部は、これに対応する前記引起ケースの背面側にボルト締結されると共に、前記ギヤケースの中途部から横向き突出した係止ピンに、前記引起ケースの背面側から突出した係合爪を係脱可能に係合させているから、簡単な構成でありながら、前記ギヤケースに前記引起ケースをスムーズ且つ簡潔に組み付けでき、コンバインの製造場所での組付け作業性の向上に寄与できる。
【図面の簡単な説明】
【００１４】
【図１】４条刈り用のコンバインの左側面図である。
【図２】コンバインの右側面図である。
【図３】コンバインの平面図である。
【図４】コンバインの正面図である。
【図５】刈取装置の駆動系統図である。
【図６】刈取装置の左側面図である。
【図７】刈取装置の正面図である。
【図８】横カバー及びライトハウジングを外した状態の刈取装置の左側面図である。
【図９】横カバー及びライトハウジングを外した状態の刈取装置の正面図である。
【図１０】横カバー及びライトハウジングを外した状態の刈取装置の要部拡大左側面図である。
【図１１】刈取装置の骨組を示す背面図である。
【図１２】刈取装置の骨組を示す平面図である。
【図１３】デバイダレバーと中継リンク杆との連動関係を示す要部拡大背面図である。
【図１４】引起変速レバーとシフト軸との連動関係を示す要部拡大背面図である。
【図１５】穀稈引起装置及び穀稈搬送装置の正面図である。
【図１６】引起ケースを取外した穀稈引起装置及び穀稈搬送装置の正面図である。
【図１７】穀稈引起装置の背面図である。
【図１８】背面板を取り外した状態の穀稈引起装置の背面図である。
【図１９】引起ケースの側面図である。
【図２０】引起ケース下部側の拡大側面断面図である。
【図２１】ナットを取り外した状態の引起ケース下部側の拡大側面断面図である。
【図２２】引起ケース上部側及びギヤケースの拡大側面断面図である。
【図２３】引起ケースが引起し姿勢のときの引起入力横ケース及び引起駆動ケースの側面図である。
【図２４】引起ケースが持上げ姿勢のときの引起入力横ケース及び引起駆動ケースの側面図である。
【図２５】引起ケースが引起し姿勢のときの引起入力横ケース及び引起駆動ケースの拡大正面断面図である。
【図２６】引起ケースが引起し姿勢のときの引起入力横ケース及び引起駆動ケースの内部構造を示す拡大正面断面図である。
【図２７】引起ケースが引起し姿勢のときの引起入力横ケース及び引起駆動ケースの拡大背面断面図である。
【図２８】引起ケースが持上げ姿勢のときの引起入力横ケース及び引起駆動ケースの拡大背面断面図である。
【発明を実施するための形態】
【００１５】
以下、本願発明に係るコンバインを具体化した実施形態を図面に基づいて説明する。なお、以下の説明では、走行機体１の前進方向に向かって左側を単に左側と称し、同じく前進方向に向かって右側を単に右側と称する。
【００１６】
（１）．コンバインの全体構造
まず、図１乃至図４を参照して、コンバインの全体構造について説明する。図１乃至図４に示す如く、左右一対の走行クローラ２（走行部）にて支持された走行機体１を備えている。走行機体１の前部には、穀稈を刈取る４条刈り用の刈取装置３が、単動式の昇降用油圧シリンダ４によって刈取回動支点軸４ａ回りに昇降調節可能に装着されている。走行機体１には、フィードチェン６を有する脱穀装置５と、脱穀後の穀粒を貯留するグレンタンク７とが横並び状に搭載されている。なお、脱穀装置５が走行機体１の前進方向に向かって左側に配置され、グレンタンク７が走行機体１の前進方向に向かって右側に配置されている（図３参照）。
【００１７】
グレンタンク７の後方から上方にかけてグレンタンク７内の穀粒を機体外部に排出する排出オーガ８が配設されている。排出オーガ８の縦オーガ８ａを中心として、グレンタンク７の前部を機体側方へ回動できるように構成されている。グレンタンク７の前方で走行機体１の右側前部には、運転部１０が設けられている。運転部１０には、オペレータが搭乗するステップ１０ａ、運転座席１０ｂ、操向ハンドル１０ｃや各種の操作レバーやスイッチ等を備えた操作装置を配置している。運転座席１０ｂの下方の走行機体１には、動力源としてのエンジン２０が配置されている。
【００１８】
図１及び図２に示す如く、走行機体１の下面側に左右のトラックフレーム２１を配置している。トラックフレーム２１には、走行クローラ２にエンジン２０の動力を伝える駆動スプロケット２２と、走行クローラ２のテンションを維持するテンションローラ２３と、走行クローラ２の接地側を接地状態に保持する複数のトラックローラ２４とを設けている。駆動スプロケット２２によって走行クローラ２の前側を支持し、テンションローラ２３によって走行クローラ２の後側を支持し、トラックローラ２４によって走行クローラ２の接地側を支持する。
【００１９】
図１乃至図３に示す如く、刈取装置３には、圃場の未刈り穀稈を引起す４条分の穀稈引起装置３１と、圃場の未刈り穀稈の株元を切断するバリカン式の刈刃装置３２と、穀稈引起装置３１からフィードチェン６の前端部（送り始端側）に刈取り穀稈を搬送する穀稈搬送装置３３とが備えられている。穀稈引起装置３１によって圃場の未刈り穀稈が引起され、刈刃装置３２によって未刈り穀稈の株元が切断され、穀稈引起装置３１によってフィードチェン６の前端部に刈取り穀稈が搬送される。
【００２０】
脱穀装置５には、穀稈脱穀用の扱胴５１と、扱胴５１の下方に落下する脱粒物を選別する揺動選別機構としての揺動選別盤５２と、揺動選別盤５２に選別風を供給する唐箕ファン５３と、扱胴５１の後部から取出される脱穀排出物を再処理する処理胴５４と、揺動選別盤５２の後部の排塵を機外に排出する排塵ファン６１とを備えている。
【００２１】
図１及び図２に示す如く、フィードチェン６の後端側（送り終端側）には、排藁チェン６２が配置されている。フィードチェン６の後端側から排藁チェン６２に受け継がれた排藁（穀粒が脱粒された稈）は、長い状態で走行機体１の後方に排出されるか、又は脱穀装置５の後方側に設けた排藁カッタ６３にて適宜長さに短く切断されたのち、走行機体１の後方下方に排出される。
【００２２】
揺動選別盤５２の下方側には、揺動選別盤５２にて選別された穀粒（一番選別物）を取出す一番コンベヤ５５と、穀粒や藁屑や枝梗付き穀粒等が混合した二番選別物を取出す二番コンベヤ５６とが設けられている。なお、走行機体１の進行方向前側から一番コンベヤ５５、二番コンベヤ５６の順で、側面視において走行クローラ２の後部上方の走行機体１の上面側に横設されている。
【００２３】
揺動選別盤５２は、扱胴５１の下方に落下した脱穀物を、揺動選別（比重選別）するように構成している。揺動選別盤５２から落下した穀粒（一番選別物）は、その穀粒中の粉塵が唐箕ファン５３からの選別風によって除去され、一番コンベヤ５５に落下する。一番コンベヤ５５のうち脱穀装置５におけるグレンタンク７寄りの一側壁（実施形態では右側壁）から外向きに突出した終端部には、上下方向に延びる一番揚穀筒５７が連通接続されている。一番コンベヤ５５から取出された穀粒は、一番揚穀筒５７に内設された一番揚穀コンベヤ（図示省略）によってグレンタンク７に搬入され、グレンタンク７の内部に収集される。
【００２４】
揺動選別盤５２は、揺動選別（比重選別）によって、枝梗付き穀粒等の二番選別物（穀粒と藁屑等が混在した再選別用の還元再処理物）を二番コンベヤ５６に落下させるように構成されている。二番コンベヤ５６によって取出された二番選別物は、二番還元筒５８及び二番処理部５９を介して揺動選別盤５２の上面側に戻されて再選別される。また、扱胴５１からの脱粒物中の藁屑及び粉塵等は、唐箕ファン５３からの選別風と排塵ファン６１の吸排塵作用とによって、走行機体１の後部から圃場に向けて排出される。
【００２５】
（２）．刈取装置の構造
次に、主として図５乃至図７を参照しながら、刈取装置３の構造を説明する。図６乃至図７に示す如く、刈取装置３の刈取フレーム３０として、刈取回動支点軸４ａである刈取入力フレーム３５と、縦伝動フレーム３６と、横伝動フレーム３７とを有している。走行機体１の前部に立設した刈取支持体３４（図１参照）に刈取入力フレーム３５が回動可能に支持される。走行機体１の左右方向に向けて刈取入力フレーム３５を延長している。刈取入力フレーム３５から前方に向けて縦伝動フレーム３６を延長している。縦伝動フレーム３６の前端側に横伝動フレーム３７を連結している。走行機体１の左右方向に向けて横伝動フレーム３７を延長している。
【００２６】
図５に示す如く、刈取入力フレーム３５には、エンジン２０からの動力が伝達される刈取入力軸３５ａが組み込まれている。刈取入力軸３５ａは、左右方向の軸線（刈取回動支点軸４ａ）を中心に回転する。縦伝動フレーム３６と走行機体１との間に、昇降用油圧シリンダ４が配置されている。昇降操作レバー等の制御装置（図示省略）によって昇降用油圧シリンダ４を作動させることにより、刈取回動支点軸４ａ回りに刈取装置３（縦伝動フレーム３６）を回動させる。その結果、刈取装置３（刈刃装置３２）を任意の高さに昇降できる。
【００２７】
図７及び図９に示す如く、横伝動フレーム３７から前方に向けて４条分（刈取り条数分）の分草フレーム３８が延長されている。各分草フレーム３８の前端側に分草体３８ａが分草ボルト３８ｃにてそれぞれ締結されている。横伝動フレーム３７の左端側に、引起縦パイプとしての１本の引起入力縦ケース３９を前方斜め上向きに延びるように立設している。横伝動フレーム３７のさらに左端側に、刈刃駆動ユニット４９の刈刃駆動軸４９ｃが配置されている。即ち、横伝動フレーム３７の左端部に取付けられた刈刃駆動ユニット４９が、引起入力縦ケース３９よりも機体外方側寄りに配置されている。
【００２８】
図７及び図９に示す如く、引起入力縦ケース３９の上端側は、左右方向に延長した引起入力横ケース４０の左端部に連結している。また、最右側の分草フレーム３８には、引起縦パイプの一例である丸パイプ状の引起縦フレーム５０を立設する。引起縦フレーム５０の上端側が引起入力横ケース４０の右端部に連結されている。引起入力横ケース４０は、引起入力縦ケース３９と引起縦フレーム５０とによって、引起ケース４２の上端よりも上方側で、刈取装置３の左右方向に向けて略水平に横架されている。
【００２９】
図７及び図９に示す如く、引起入力横ケース４０に近い引起入力縦ケース３９の上端側の高位置に引起変速ケース３９ｂが設けられている。引起入力横ケース４０には、刈取り条数に合わせた数（本実施形態では４条分の４本）の引起駆動ケース４１が、引起入力横ケース４０の長手方向（走行機体２の幅方向）に沿って適宜間隔で下向きに並んでいる。即ち、後述する引起ケース４２への駆動力入力用のケースとして、刈取フレーム３０としての引起入力縦ケース３９と、刈取フレーム３０としての引起入力横ケース４０と、４条分の引起駆動ケース４１とが配置されている。
【００３０】
図５に示すように、穀稈引起装置３１には、引起機構としての４条分の引起ケース４２が備えられている。各引起ケース４２には、分草体３８ａによって分草された未刈り穀稈を起立させる複数の引起タイン４２ａがそれぞれ備えられている。１条分の複数の引起タイン４２ａは、１本のエンドレス状の引起タインチェン４２ｂに略等間隔に配置されている。引起ケース４２は分草体３８ａの後方に配置されている。引起ケース４２は上下方向に長く後傾姿勢に設けられている。引起ケース４２の上端側は、引起駆動ケース４１の下端側に連結されている。分草フレーム３８に立設した引起支持フレーム３８ｂに引起ケース４２の下端側が連結されている。
【００３１】
図５に示す如く、穀稈搬送装置３３は、引起ケース４２の後方に配置されている。穀稈搬送装置３３は、４条分の引起ケース４２から導入された未刈り穀稈の株元側を掻込む４条分のスターホイル４３Ｒ，４３Ｌと掻込ベルト４４Ｒ，４４Ｌと、右側２条分の刈取り穀稈の株元側を後方に搬送する右株元搬送チェン４５Ｒと、左側２条分の刈取り穀稈の株元側を右株元搬送チェン４５Ｒの搬送終端側に合流させる左株元搬送チェン４５Ｌとを備えている。また、穀稈搬送装置３３は、右株元搬送チェン４５Ｒから４条分の刈取り穀稈の株元側を受継ぐ縦搬送チェン４６と、縦搬送チェン４６の搬送終端部からフィードチェン６の搬送始端部に４条分の刈取り穀稈の株元側を搬送する補助株元搬送チェン７４とを備えている。
【００３２】
さらに、図５に示す如く、穀稈搬送装置３３は、右株元搬送チェン４５Ｒによって搬送される刈取り穀稈の穂先側を搬送する右穂先搬送タイン４７Ｒと、左株元搬送チェン４５Ｌによって搬送される刈取り穀稈の穂先側を搬送する左穂先搬送タイン４７Ｌと、縦搬送チェン４６によって搬送される４条分の刈取穀稈の穂先側を搬送する後穂先搬送タイン７５とを備えている。刈取装置３で刈取った４条分の刈取穀稈の穂先側が、後穂先搬送タイン７５の送り終端側から、扱胴５１を内蔵した脱穀装置５の扱室内に搬送される。
【００３３】
図５及び図７に示す如く、刈刃装置３２は、左右二組のバリカン式の刈刃４８Ｒ，４８Ｌを備える。分草フレーム３８の下方には、刈取装置３の左右幅方向に、横伝動フレーム３７に沿って、左右二組のバリカン式の刈刃４８Ｒ，４８Ｌを設ける。左右二組の刈刃４８Ｒ，４８Ｌは、４条分のスターホイル４３Ｒ，４３Ｌと掻込ベルト４４Ｒ，４４Ｌとによって掻込まれた未刈り穀稈の株元を切断する。
【００３４】
図５及び図７に示す如く、刈取装置３には、左右の刈刃４８Ｒ，４８Ｌをそれぞれ独立して駆動する左右の刈刃駆動ユニット４９を備える。左右の刈刃駆動ユニット４９は、横伝動フレーム３７における左右側端部の上面側にそれぞれ配置されている。各刈刃駆動ユニット４９には、横伝動フレーム３７の横伝動軸３７ａに連結させる刈刃駆動軸４９ｃと、横伝動フレーム３７の上面側に突出させた刈刃駆動軸４９ｃの上端側に配置させるクランクロッド４９ａと、クランクロッド４９ａに刈刃４８Ｒ，４８Ｌを連結させるクランクアーム体４９ｂとを備える。左右の刈刃４８Ｒ，４８Ｌに、クランクロッド４９ａ及びクランクアーム体４９ｂを介して、横伝動軸３７ａが動力伝達可能に連結されている。
【００３５】
なお、実施形態では、クランクロッド４９ａが揺動することによって、左右の刈刃４８が左右に往復移動するように構成されている。左右の刈刃駆動ユニット４９によって、左側の刈刃４８Ｌと右側の刈刃４８Ｒは左右相反する方向に同期して往復移動させる。その結果、左右の刈刃４８の往復移動によって発生する左右の刈刃４８の振動（慣性力）を相殺できる（刈刃４８の往復移動によって発生する振動を低減できる）。
【００３６】
図７に示す如く、刈刃駆動ユニット４９及び引起入力縦ケース３９は、穀稈搬送装置３３の穀稈搬送経路から離れた位置に配置されている。横伝動フレーム３７の左右の端部に刈刃駆動軸４９ｃ及びクランクロッド４９ａがそれぞれ配置されている。左側の刈刃駆動軸４９ｃ及びクランクロッド４９ａよりも機体内方側になる横伝動フレーム３７の左端部に、引起入力縦ケース３９が立設されている。即ち、刈刃駆動ユニット４９よりも機体内方側に引起入力縦ケース３９が設置されている。
【００３７】
（３）．刈取装置の駆動構造
次に、主に図５を参照しながら、刈取装置３の駆動構造を説明する。図５及び図６に示す如く、丸パイプ状の刈取入力フレーム３５に刈取入力軸３５ａを内挿する。丸パイプ状の縦伝動フレーム３６に縦伝動軸３６ａを内挿する。丸パイプ状の横伝動フレーム３７に横伝動軸３７ａを内挿する。刈取入力軸３５ａに縦伝動軸３６ａの一端側を動力伝達可能に連結している。縦伝動軸３６ａの他端側を横伝動軸３７ａに動力伝達可能に連結している。エンジン２０からの駆動力が刈取入力軸３５ａに伝達される。刈取入力軸３５ａの回転駆動力は縦伝動軸３６ａを介して横伝動軸３７ａに伝達される。
【００３８】
図５に示す如く、引起入力縦ケース３９内に引起入力縦軸３９ａを配置させる。横伝動軸３７ａに引起入力縦軸３９ａの一端側を動力伝達可能に連結する。引起入力縦ケース３９の中間に引起変速ケース３９ｂを設ける。引起入力縦軸３９ａの中間に変速ギヤ３９ｃを設ける。また、引起入力横ケース４０内に引起入力横軸４０ａを配置する。引起入力縦軸３９ａの他端側に引起入力横軸４０ａを動力伝達可能に連結している。４条分の引起駆動ケース４１内に引起タイン駆動軸４１ａをそれぞれ配置する。引起入力横軸４０ａに引起タイン駆動軸４１ａを動力伝達可能に連結している。
【００３９】
従って、横伝動軸３７ａの回転力は、引起入力縦軸３９ａ、変速ギヤ３９ｃ、引起入力横軸４０ａ及び引起タイン駆動軸４１ａを介して、引起タインチェン４２ｂに伝達される。複数の引起タイン４２ａの駆動によって、収穫作業時に圃場の未刈り穀稈を起立させるように構成されている。
【００４０】
図５に示す如く、右株元搬送チェン４５Ｒと、右穂先搬送タイン４７Ｒと、右側２条分のスターホイル４３Ｒと掻込ベルト４４Ｒとを駆動する右搬送駆動軸７２を備える。右搬送駆動軸７２は、縦伝動軸３６ａに連結する。縦搬送チェン４６を駆動する縦搬送伝動軸４６ａを備える。縦搬送伝動軸４６ａは、右搬送駆動軸７２を介して縦伝動軸３６ａに連結する。左株元搬送チェン４５Ｌと、左穂先搬送タイン４７Ｌと、左側２条分のスターホイル４３Ｌと掻込ベルト４４Ｌとは、引起入力縦軸３９ａから分岐した回転駆動力によって駆動される。また、縦伝動軸３６ａに後搬送駆動軸７６を連結する。後搬送駆動軸７６によって、補助株元搬送チェン７４と後穂先搬送タイン７５が駆動される。
【００４１】
（４）．灯具部材、横カバー及び上カバーの構造
次に、図６乃至図１０を参照しながら、刈取装置３（走行機体１）前方の照明や方向指示等のための灯具部材８０Ｒ，８０Ｌと、刈取装置３の左右側方を覆う左右の横カバー８２Ｒ，８２Ｌの構造について説明する。
【００４２】
図６及び図７に示す如く、刈取装置３の左右側方は、合成樹脂製成形品である左右の横カバー８２Ｒ，８２Ｌと、灯具部材８０Ｒ，８０Ｌの構成要素である左右のライトハウジング８３Ｒ，８３Ｌによって覆われている。左右のライトハウジング８３Ｒ，８３Ｌも合成樹脂製成形品である。左右の横カバー８２Ｒ，８２Ｌの上方に、左右のライトハウジング８３Ｒ，８３Ｌがそれぞれ配置されている。横カバー８２Ｒ，８２Ｌによって刈取装置３における左右側部の下方側が覆われた状態では、横カバー８２Ｒ，８２Ｌの上端縁は、引起入力横ケース４０よりも低位置にしている。ライトハウジング８３Ｒ，８３Ｌが刈取装置３における左右側部の上方側を覆っている。詳細には、横カバー８２Ｒ，８２Ｌの上端側にライトハウジング８３Ｒ，８３Ｌの下端側を沿わせて対向配置させている。側面視において、引起入力横ケース４０の左右の外側面や引起ケース４２の上部等に、ライトハウジング８３Ｒ，８３Ｌの配置位置が重なることになる。横カバー８２Ｒ，８２Ｌは、側面視でスターホイル４３Ｒ，４３Ｌ、掻込ベルト４４Ｒ，４４Ｌ、株元搬送チェン４５Ｒ，４５Ｌの一部、及び引起ケース４２の下部等を覆っている。なお、横カバー８２Ｒ，８２Ｌの上端縁は、前側が低くなるように前傾させて形成されている。
【００４３】
図６及び図７に示す如く、ライトハウジング８３Ｒ，８３Ｌの左右外側部は、横カバー８２Ｒ，８２Ｌの左右外側面から突出しないように、ライトハウジング８３Ｒ，８３Ｌから横カバー８２Ｒ，８２Ｌに亘って連続する外観に形成されている。ライトハウジング８３Ｒ，８３Ｌと横カバー８２Ｒ，８２Ｌとは一体感のある外観に仕上がっており、刈取装置３の美観を向上させている。
【００４４】
ライトハウジング８３Ｒ，８３Ｌの前面側は、刈取装置３（走行機体１）前方において広い照射範囲を確保するために、引起ケース４２の前面よりも前方に丸みを帯びて突出するように膨出形成（湾曲形成）されている。また、ライトハウジング８３Ｒ，８３Ｌは刈取装置３の上端よりも高位置に突出しないように設定されている。即ち、引起入力横ケース４０の前面側や上面側を覆うゲートカバー１０５と略同じ高さに揃うように、ライトハウジング８３Ｒ，８３Ｌの前面側や上面側が形成されている。
【００４５】
なお、図１０に示す如く、ゲートカバー１０５の後端側は、引起入力横ケース４０に開閉軸１０６を介して回動可能に連結されている。ゲートカバー１０５を開閉軸１０６回りに回動させる（ゲートカバー１０５を開閉回動させる）ことによって、引起入力横ケース４０及び引起駆動ケース４１の上部側を露出させたり隠したりすることが可能になっている。
【００４６】
図６乃至図１０に示すように、ライトハウジング８３Ｒ，８３Ｌの内部には、前照灯８１と、補助灯としての方向指示灯８４とが配置されている。ライトハウジング８３Ｒ，８３Ｌは、全体が透光性素材（ポリカーボネート樹脂等）で形成されている。左右のライトハウジング８３Ｒ，８３Ｌは左右対称形に形成されており、その内部の前照灯８１及び方向指示灯８４も左右対称形に配置されている。前照灯８１は、刈取装置３（走行機体１）前方の圃場又は走行路面を照明可能なようにライトハウジング８３Ｒ，８３Ｌ内に配置され、方向指示灯８４は、刈取装置３（走行機体１）前方及び側方から視認可能なようにライトハウジング８３Ｒ，８３Ｌ内に配置されている。実施形態では、ライトハウジング８３Ｒ，８３Ｌ内の上部に方向指示灯８４が位置し、方向指示灯８４の下方に前照灯８１が位置している。
【００４７】
次に、図１０等を参照しながら、ライトハウジング８３Ｒ，８３Ｌの内部構造について説明する。図１０に示す如く、前照灯８１は、前照灯リフレクタ１１０（前照灯８１用の反射鏡）と、該リフレクタ１１０の底部（奥底部）に位置する前照バルブ１１２（前照灯電球）とを備えている。方向指示灯８４は、方向指示リフレクタ１１４（方向指示灯８４用の反射鏡）と、該方向指示リフレクタ１１４の底部（奥底部）に位置する方向指示バルブ１１６（方向指示灯電球）とを備えている。ライトハウジング８３Ｒ，８３Ｌ内の上下に、方向指示灯８４と前照灯８１とが組み付けられている。実施形態では、前照灯リフレクタ１１０と方向指示リフレクタ１１４とがリフレクタ体１１８として一体的に形成されている。図示は省略するが、ライトハウジング８３Ｒ，８３Ｌは、リフレクタ体１１８の前面側に係脱可能に被せられている。ライトハウジング８３Ｒ，８３Ｌ、前照灯８１及び方向指示灯８４が灯具部材８０Ｒ，８０Ｌを構成している。
【００４８】
実施形態では、ライトハウジング８３Ｒ，８３Ｌの前面上部側が、方向指示灯８４の照射方向に対応して方向指示灯８４用のレンズとして機能するように加工されている。そして、ライトハウジング８３Ｒ，８３Ｌの前面下部側は、前照灯８１の照射方向に対応して前照灯８１用のレンズとして機能するように加工されている。即ち、前照灯８１及び方向指示灯８４を覆うライトハウジング８３Ｒ，８３Ｌが、前照灯８１や方向指示灯８４に対するレンズとして利用されている。
【００４９】
図６〜図１０に示すように、左右の灯具部材８０は、刈取装置３の左右側部に立設された引起入力縦ケース３９又は引起縦フレーム５０に、枝フレーム８６を介して支持させている。実施形態では、引起入力縦ケース３９の長手中途部に、上向きに延びる枝フレーム８６の下端側がボルト締結されている。枝フレーム８６は左側の横カバー８２Ｌよりも機体内側に位置していて、枝フレーム８６の長手中途部に設けられた上下一対の取付けブラケット８７に、左側の灯具部材８０Ｌを構成するリフレクタ体１１８の後面側が着脱可能にボルト締結されている。また、引起縦フレーム５０の上部側には、右外向きに突出する上下一対の枝フレーム８６が設けられている。上下両枝フレーム８６は、右側の横カバー８２Ｒよりも機体内側に位置していて、当該上下両枝フレーム８６に、右側の灯具部材８０Ｒを構成するリフレクタ体１１８の後面側が着脱可能にボルト締結されている。
【００５０】
次に、図６乃至図１０を参照しながら、穀稈搬送装置３３の上方側を覆う上カバー１２０の構造を説明する。図６〜図１０に示す如く、穀稈搬送装置３３の上方側には、刈取装置３の前後方向に延長する丸パイプ状の刈取上方フレーム１２１を備える。刈取入力フレーム３５に刈取上方フレーム１２１の後端側を連結する。引起入力横ケース４０に締結ブラケット１２２を介して刈取上方フレーム１２１の前端側を連結する。穀稈搬送装置３３の上方側で前後方向に刈取上方フレーム１２１が架設される。合成樹脂成形品にて形成された上カバー１２０が刈取上方フレーム１２１に着脱可能に連結される。即ち、刈取装置３の上面側の防塵カバーとして、上カバー１２０が使用される。上カバー１２０によって穀稈搬送装置３３の上方側を覆い、穀稈搬送装置３３から運転部１０の方向に粉塵が飛散するのを防ぐように構成している。
【００５１】
図６乃至図１０に示す如く、左側の横カバー８２Ｌの上端側は、側面視で左側のライトハウジング８３Ｌの後端側より後方に延出している。横カバー８２Ｌの上端延出部と、ライトハウジング８３Ｌの後端側（上面及び後側面側の端縁）と、ゲートカバー１０５の後端側とには、上カバー１２０の左側前部を沿わせて対向配置させている。即ち、横カバー８２Ｌの上方側、ライトハウジング８３Ｌの後方側及びゲートカバー１０５の後方側が、上カバー１２０の左側前部にて遮蔽されている。実施形態では、横カバー８２Ｌの上方側、ライトハウジング８３Ｌの後方側、ゲートカバー１０５の後方側、及び上カバー１２０の左側前部は、対向部の段差や隙間を目立たせずに連続する外観となるように、互いに重なり合っている。このため、横カバー８２Ｌ、ライトハウジング８３Ｌ、ゲートカバー１０５及び上カバー１２０は、全体的にまとまって一体感のある外観に仕上がっており、刈取装置３の美観向上に効果を発揮している。
【００５２】
図６〜図１０に示すように、引起入力縦ケース３９側（左側）の枝フレーム８６は上向きに延びていて、上カバー１２０を下から上向きに貫通している。左側の枝フレーム８６のうち上カバー１２０より下側の部位に、左側のリフレクタ体１１８を支持する上下一対の取付けブラケット８７が溶接等で固定されている。従って、左側の枝フレーム８６のうち上カバー１２０より下側の部位に、左側の灯具部材８０Ｌが着脱可能に連結されることになる。上カバー１２０を貫通した枝フレーム８６の上端側に、バックミラー１８０が向き変更可能で且つ着脱可能に取り付けられている。
【００５３】
なお、図１乃至図４に示す如く、脱穀装置５の上面側にはオーガスタンド１２５を立設させている。オーガスタンド１２５を介して走行機体１における上方の収納位置に排出オーガ８を支持している。排出オーガ８は、オーガスタンド１２５によって略水平姿勢に支持される。図３に示す如く、走行機体１の右後方の隅部から左前方の隅部に向けて、収納位置の排出オーガ８が延長される。また、排出オーガ８の中間の下面側に作業灯１２６を配置する。ゲートカバー１０５の略直上の排出オーガ８に作業灯１２６が支持される。最右側の分草体３８ａに作業灯１２６の光が照射される。夜間作業等において、圃場の既刈り面に隣接した最右側の未刈り穀稈の株元に対する最右側の分草体３８ａの先端位置がオペレータによって確認できる。
【００５４】
（５）．第１のまとめ
図６及び図１０等に示す如く、エンジン２０を搭載した走行機体１と、穀稈引起装置３１及び刈刃装置３２及び穀稈搬送装置３３等を有した刈取装置３と、刈取装置３の側方を覆う横カバー８２Ｒ，８２Ｌと、刈取装置の上方を覆う上カバー１２０と、前照灯８１を内蔵するライトハウジング８３Ｒ，８３Ｌとを備えるコンバインにおいて、横カバー８２Ｒ，８２Ｌの上端側にライトハウジング８３Ｒ，８３Ｌの下端側を連結させ、横カバー８２Ｒ，８２Ｌによって刈取装置３の下方側部を覆い、ライトハウジング８３Ｒ，８３Ｌによって刈取装置３の上方側部を覆うように構成している。したがって、ライトハウジング８３Ｒ，８３Ｌに殆ど関連させることなく、横カバー８２Ｒ，８２Ｌを簡単な形状に形成できる。横カバー８２Ｒ，８２Ｌよりもライトハウジング８３Ｒ，８３Ｌを高位置に設置することによって、刈取装置３の高位置に前照灯８１を簡単に配置できる。刈取装置３の前方を効果的に照明できる。
【００５５】
図６及び図７等に示す如く、ライトハウジング８３Ｒ，８３Ｌの後端側と、横カバー８２Ｒ，８２Ｌの上端側とに、上カバー１２０の前端側を連結させている。したがって、ライトハウジング８３Ｒ，８３Ｌの後端側又は横カバー８２Ｒ，８２Ｌの上端側が上カバー１２０の前端側によって遮蔽でき、上カバー１２０によってライトハウジング８３Ｒ，８３Ｌの後部を簡単に保護し得るものでありながら、刈取装置３の外観形状をシンプルに形成できる。
【００５６】
図８等に示す如く、刈取装置３の刈取フレーム３０に立設する引起入力用の支持ケースとしての引起入力縦ケース３９を備え、引起入力横ケース４０に引起入力縦ケース３９の上端側を連結する構造であって、引起入力縦ケース３９と横カバー８２Ｒ，８２Ｌの間に、平面視で、ライトハウジング８３Ｒ，８３Ｌ内の前照灯８１と、刈刃装置３２に動力を伝達する刈刃駆動軸４９ｃとを配置している。したがって、刈刃装置３２の駆動機構を穀稈搬送経路から離反させて配置できるものでありながら、刈取装置３の左右幅寸法が制限される機体構造であっても、刈取装置３の機内方に引起入力縦ケース３９を配置でき、引起入力縦ケース３９と横カバー８２Ｒ，８２Ｌの間に、前照灯８１の左右方向の設置スペースを簡単に確保できる。
【００５７】
図６乃至図１０に示す如く、走行機体１の前部に設けられた刈取装置３に、圃場の未刈り穀稈を引き起こすための穀稈引起装置３１を備えており、前記穀稈引起装置３１の左右両外側に横カバー８２Ｒ，８２Ｌ及び灯具部材８０Ｒ，８０Ｌが配置されているコンバインであって、前記穀稈引起装置３１の左右外側を前記横カバー８２Ｒ，８２Ｌ及び前記灯具部材８０Ｒ，８０Ｌにて覆うように、前記横カバー８２Ｒ，８２Ｌの上端側に前記灯具部材８０Ｒ，８０Ｌの下端側を沿わせて対向配置させており、前記灯具部材８０Ｒ，８０Ｌは、前記刈取装置３の左右側部に立設された引起縦パイプ３９，５０に枝フレーム８６を介して支持させているから、前記横カバー８２Ｒ，８２Ｌ及び前記灯具部材８０Ｒ，８０Ｌを連続する（一体感のある）外観に仕上げて、見栄えを向上させたものでありながら、前記引起縦パイプ３９，５０につながる前記枝フレーム８６を利用して、前記灯具部材８０Ｒ，８０Ｌを簡単且つ高剛性に支持できる。前記灯具部材８０Ｒ，８０Ｌの支持構造を簡単に構成できることになる。
【００５８】
また、左側の前記横カバー８２Ｌの上端側は側面視で前記灯具部材８０Ｌの後端側より後方に延出しており、前記刈取装置３の上面側を覆う上カバー１２０の左側前部を、前記横カバー８２Ｌの上端延出部と前記灯具部材８０Ｌの後端側とに沿わせて対向配置させているから、前記横カバー８２Ｌ及び前記灯具部材８０Ｌだけでなく、前記上カバー１２０及び前記穀稈引起装置３１まで含めて、一体感のある外観にでき、前記刈取装置３ひいてはコンバインの美観をより一層向上できる。
【００５９】
更に、左側の前記枝フレーム８６は前記上カバー１２０を下から上向きに貫通していて、前記枝フレーム８６のうち前記上カバー１２０より下側の部位に前記灯具部材８０Ｌが着脱可能に連結されており、前記枝フレーム８６の上端側にバックミラー１０８が取り付けられているから、前記灯具部材８０Ｌと前記横カバー８２Ｌとを各別に着脱操作することが可能になり、前記灯具部材８０Ｌ又は前記横カバー８２Ｌの組付け分解作業性を向上できる。その上、前記灯具部材８０Ｌ支持用の前記枝フレーム８６を前記バックミラー１０８支持用に兼用でき、部品コストを抑制できるという利点もある。
【００６０】
（６）．サイドデバイダ及びデバイダレバーの構造
次に、主として図１１〜図１３を参照しながら、サイドデバイダ２４０とデバイダレバー２５０との構造について説明する。図１１及び図１２に示すように、刈取装置３の横一側部（実施形態では左側部）にはサイドデバイダ２４０が設けられている。サイドデバイダ２４０は、収穫作業の際に、前進する走行機体１がその横一側方にある未刈り穀稈を巻き込んだり走行クローラ２にて踏み付けたりしないように、未刈り穀稈を横方向外向き（走行機体１の横一側部から離れる方向）に押しやる（捌く）ためのものである。
【００６１】
サイドデバイダ２４０は、刈取装置３に近接するように跳ね上げ回動して収納可能に構成されている。すなわち、サイドデバイダ２４０は、刈取装置３の横一側部寄りの箇所を支点にした上下回動（起伏回動）にて、横方向外向きに張り出した作業姿勢（図１１及び図１２の実線状態参照）と、刈取装置３に近接して起立した収納姿勢（図１１の二点鎖線状態参照）とに姿勢変更可能に構成されている。
【００６２】
実施形態では、最左側の分草フレーム３８に立設された引起支持フレーム３８ｂに、左右外向きに突出する前ブラケット板２４１が固定されている。金属パイプからなるサイドデバイダ２４０の前部側は、前後長手の軸ピン２４２を介して、前ブラケット板２４１に回動可能に連結されている（図１２参照）。また、図１１に示すように、横伝動フレーム３７の左端部に配置された刈刃駆動ユニット４９の背面側に、後ブラケット板２４３が固定されている。後ブラケット板２４３には、軸ピン２４２と同一軸線上に位置する前後長手の枢支ピン軸２４４を介して、回動プレート２４５が回動可能に連結されている。回動プレート２４５には、サイドデバイダ２４０の長手中途部から機体内側に向けて延びる揺動パイプ２４０ａが固着されている。この場合、回動プレート２４５を枢支ピン軸２４４回りに回動させることによって、揺動パイプ２４０ａひいてはサイドデバイダ２４０が軸ピン２４２及び枢支ピン軸２４４の共通軸線回りに回動する。その結果、サイドデバイダ２４０が作業姿勢と収納姿勢とに姿勢変更することになる。
【００６３】
なお、回動プレート２４５には、枢支ピン軸２４４を中心とする略円弧状のガイド溝穴２４６が形成されている。回動プレート２４５に固着された規制ピン２４７がガイド溝穴に挿通されている。ガイド溝穴２４６に規制される規制ピン２４７の移動可能範囲がサイドデバイダ２４０の起伏回動ストロークを確定している（サイドデバイダ２４０の起伏回動範囲はガイド溝穴２４６によって規制されている）。
【００６４】
図１１〜図１３に示すように、刈取装置３における穀稈引起装置３１の上部のうち、走行機体１の運転部１０から前方を見ているオペレータの視界に入る位置に、サイドデバイダ２４０を機械的に姿勢変更操作する手動操作手段としてのデバイダレバー２５０が配置されている。実施形態のデバイダレバー２５０は、穀稈引起装置３１の上部に位置する引起入力横ケース４０に沿って横向きに延びている。デバイダレバー２５０の先端握り部２５０ａは上向きに折り曲げ形成されている。一方、締結ブラケット１２２の左右中央側に固着された操作ガイド板２５１には、左右横長の案内溝２５２が形成されている。デバイダレバー２５０の先端握り部２５０ａは、操作ガイド板２５１の案内溝２５２を下から上向きに貫通している。従って、デバイダレバー２５０は、操作ガイド板２５１の案内溝２５２に沿って左右スライド操作可能になっている。デバイダレバー２５０のスライド範囲は案内溝２５２によって規制される。
【００６５】
デバイダレバー２５０とサイドデバイダ２４０とは、刈取装置３の左側部に配置された引起入力縦ケース３９に沿って縦向きに延びる中継リンク杆２５３を介して連動連結されている。実施形態では、図１３に詳細に示すように、引起入力横ケース４０と引起入力縦ケース３９とをつなぐコーナ部にリンクブラケット２５４がボルト締結されている。リンクブラケット２５４には、前後長手のリンク支軸２５５がリンクブラケット２５４を貫通した状態で固定されている。リンク支軸２５５の後部側には、リンクアーム２５６の角ボス部２５６ａが回動可能で且つ抜け不能に被嵌されている。リンクアーム２５６における縦アーム部２５６ｂの自由端側に、デバイダレバー２５０の基端側が前後向きのピンにて回動可能に枢着されている。リンクアーム２５６における横アーム部２５６ｃの自由端側に、中継リンク杆２５３の上端側が前後向きのピンにて回動可能に枢着されている。中継リンク杆２５３の下端側は、前後向きのピンにて回動プレート２４５に回動可能に枢着されている（図１１及び図１２参照）。
【００６６】
デバイダレバー２５０の左右スライド操作によって、リンクアーム２５６がリンク支軸２５５回りに回動して中継リンク杆２５３が上下に押し引きされる。その結果、回動プレート２４５が枢支ピン軸２４４回りに上下回動して、サイドデバイダ２４０を作業姿勢と収納姿勢とに姿勢変更させることになる。ここで、実施形態では、デバイダレバー２５０を運転部１０から離れる左側にスライド操作すると、サイドデバイダ２４０が横方向外向きに離れる作業姿勢になり、デバイダレバー２５０を運転部１０に近付く右側にスライド操作すると、サイドデバイダ２４０が刈取装置３に近接する収納姿勢になるように構成されている。また、図１１から明らかなように、デバイダレバー２５０、リンクアーム２５６及び中継リンク杆２５３は、引起入力横ケース４０又は引起入力縦ケース３９に沿わせて配置されていて、穀稈搬送装置３３の穀稈搬送経路から離されている。従って、サイドデバイダ２４０の操作系統にて、刈取穀稈の搬送が妨げられるおそれはない。
【００６７】
なお、実施形態におけるデバイダレバー２５０の基端側には、横長筒状の筒ボス体２５７が左右ずれ不能で且つ相対回動可能に被嵌されている。筒ボス体２５７に固着された連結片２５８が、リンクアーム２５６における縦アーム部２５６ｂの自由端側に前後向きのピンにて回動可能に枢着されている。従って、デバイダレバー２５０は長手軸部回りの前後方向に傾動操作可能になっている。一方、操作ガイド板２５１における案内溝２５２の左右両端部には前向きに延びる切り欠き溝がそれぞれ形成されている。デバイダレバー２５０の先端握り部２５０ａを各切り欠き溝に向けて前倒しすることによって、デバイダレバー２５０は左右スライド不能に保持される。その結果、サイドデバイダ２４０は作業姿勢又は収納姿勢に保持されることになる。
【００６８】
（７）．引起変速ケース及び引起変速レバーの構造
次に、主として図１１、図１２及び図１４を参照しながら、引起変速ケース３９ｂと引起変速レバー２６０との構造について説明する。図１１及び図１２に示すように、引起入力縦ケース３９の長手中途部に、変速ギヤ機構である引起変速機構を内蔵した引起変速ケース３９ｂが設けられている。実施形態では、引起入力縦ケース３９内の引起入力縦軸３９ａに引起変速機構を関連させ、穀稈引起装置３１の駆動力、つまり各引起ケース４２における引起タイン４２ｂの駆動速度を高速・低速の２段階に変速可能に構成されている（図５参照）。
【００６９】
引起変速機構の構成要素である変速ギヤ３９ｃには、引起変速ケース３９ｂを上下に貫通する変速操作用のシフト軸２６１に設けられたシフトフォーク（図示省略）が連結されている。シフト軸２６１ひいてはシフトフォークの上下スライド移動によって、変速ギヤ３９ｃと噛み合うギヤが択一的に選択され、各引起ケース４２における引起タイン４２ｂの駆動速度が高速・低速の２段階に変速されることになる。
【００７０】
図１１、図１２及び図１４に示すように、刈取装置３の上面側を覆う上カバー１２０の下方に位置する刈取上方フレーム１２１に、引起用手動操作手段としての引起変速レバー２６０が左右回動可能に支持されている。実施形態では、刈取上方フレーム１２１における長手中途部の上面側に、レバーブラケット２６２が固定されている。レバーブラケット２６２に、前後に長い引起変速レバー２６０の長手中途部が縦向きのピンにて回動可能に連結されている。引起し変速レバー２６０の先端握り部は、走行機体１における運転部１０の左側方に位置することになる。
【００７１】
引起変速レバー２６０とシフト軸２６１とは、デバイダレバー２５０と平行状に穀稈引起装置３１の上部（引起入力横ケース４０）に沿って横向きに延びる変速リンク杆２６３を介して連動連結されている。実施形態では、図１４に詳細に示すように、リンクブラケット２５４に固定されたリンク支軸２５５の前部側に、Ｌ字アーム２６４のコーナ部が回動可能で且つ抜け不能に被嵌されている。Ｌ字アーム２６４における縦アーム部２６４ｂの自由端側に、変速リンク杆２６３の一端側が前後向きのピンを介して回動可能に枢着されている。変速リンク杆の他端側は、縦向きのピンを介して引起変速レバー２６０の他端側に回動可能に枢着されている。Ｌ字アーム２６４における横アーム部２６４ｃの自由端側に、シフト軸２６１の上端側が前後向きのピンにて枢着されている。
【００７２】
この場合、リンクアーム２５６及びＬ字アーム２６４の回動中心は、いずれもリンク支軸２５５であって共通になっている。また、リンクアーム２５６とＬ字アーム２６４とがリンクブラケット２５４を挟んで前後に分かれて配置されていることから明らかなように、デバイダレバー２５０と変速リンク杆２６３とは、互いに干渉することなく引起入力横ケース４０に沿って平行状に並べて配置されている。
【００７３】
引起変速レバー２６０の左右回動操作によって、変速リンク杆２６３が左右スライド移動してＬ字アーム２６４がリンク支軸２５５回りに回動し、シフト軸２６１が上下に押し引きされる。その結果、各引起ケース４２における引起タイン４２ｂの駆動速度が高速・低速の２段階に変速されることになる。
【００７４】
（８）．第２のまとめ
上記の記載並びに図１１〜図１３から明らかなように、刈取装置３の横一側部に、横方向外向きに張り出して未刈り穀稈を押しやるためのサイドデバイダ２４０を備えており、前記サイドデバイダ２４０が前記刈取装置３に近接するように跳ね上げ回動して収納可能に構成されているコンバインであって、前記サイドデバイダ２４０を機械的に姿勢変更操作するための手動操作手段２５０が、前記刈取装置３における穀稈引起装置３１の上部のうち、走行機体１の運転部１０から前方を見ているオペレータの視界に入る位置に設けられているから、前記運転部１０に搭乗したオペレータの視界内に前記手動操作手段２５０が入り易く、収穫作業に入る前に前記サイドデバイダ２４０を作業姿勢にしておくことに気付き易くなる。このため、収穫作業時における前記サイドデバイダ２４０の出し忘れを抑制できる。また、オペレータは前記手動操作手段２５０の配置位置を把握し易く、利便性も高い。しかも、前記サイドデバイダ２４０と姿勢変更操作用の前記手動操作手段２５０とを機械的に連動連結する構成であるから、前記サイドデバイダ２４０の姿勢変更のための構造として、例えばアクチュエータを用いる場合と比較すると、構造が簡単で故障し難く、製造コストも安価に抑えられるのである。
【００７５】
上記の記載並びに図１１〜図１３から明らかなように、前記手動操作手段２５０は前記穀稈引起装置３１の上部に沿って横向きに延びており、前記サイドデバイダ２４０と前記手動操作手段２５０とは、前記刈取装置３の左右側部に配置された引起縦パイプ３９に沿って縦向きに延びる中継リンク杆２５３を介して連動連結されており、前記手動操作手段２５０を左右スライド操作することによって、前記中継リンク杆２５３が上下動して前記サイドデバイダ２４０を姿勢変更させるように構成されているから、例えば手扱ぎ作業時に前記サイドデバイダ２４０自体を手動にて姿勢変更でき、前記手動操作手段２５０の操作状態も前記サイドデバイダ２４０の姿勢に対応して切り換えできる。従って、前記サイドデバイダ２４０の取り扱い性が向上する。
【００７６】
特に実施形態では、前記手動操作手段２５０を前記運転部１０から離れる方向に操作すると、前記サイドデバイダ２４０が横方向外向きに離れる作業姿勢になり、前記手動操作手段２５０を前記運転部１０に近付く方向に操作すると、前記サイドデバイダ２４０が前記刈取装置３に近接する収納姿勢になるから、前記手動操作手段２５０の操作状態と前記サイドデバイダ２４０の姿勢との関係が直感的に分かり易く、ユーザーフレンドリー性に優れるという利点もある。
【００７７】
その上、前記手動操作手段２５０が前記穀稈引起装置３１の上部に沿い、前記中継リンク杆２５３が前記引起縦パイプ３９に沿うので、前記サイドデバイダ２４０の操作系統が刈取穀稈の穀稈搬送経路から離れることになる。つまり、前記サイドデバイダ２４０の姿勢変更のための構造（操作系統）を、機械的な連結機構でありながら、刈取穀稈の搬送を妨げることなく簡単且つコンパクトに構成できる。
【００７８】
上記の記載並びに図１１、図１２及び図１４から明らかなように、前記引起縦パイプ３９の中途部に、前記穀稈引起装置３１の駆動力を変速する引起変速ケース３９ｂが配置されており、前記刈取装置３の上面側を覆う上カバー１２０の下方に位置する刈取上方フレーム１２１に、前記引起変速ケース３９ｂにおける変速操作用のシフト軸２６１に連動連結された引起用手動操作手段２６０が左右回動可能に支持されており、前記引起用手動操作手段２６０と前記シフト軸２６１とを中継する変速リンク杆２６３は、前記手動操作手段２５０と平行状に前記穀稈引起装置３１の上部に沿って横向きに延びているから、前記サイドデバイダ２４０の操作系統だけでなく、前記引起変速ケース３９ｂの操作系統まで含めて、機械的な連結機構を採用しながら、刈取穀稈の搬送を妨げることなく簡単且つコンパクトに構成できる。前記上カバー１２０の下方にある前記刈取上方フレーム１２１に、前記引起用手動操作手段２６０を左右回動可能に支持するから、前記引起用手動操作手段２６０を操作する際に、前記上カバー１２０の存在が邪魔にならない。
【００７９】
（９）．穀稈引起装置の詳細構造
次に、主として図１５乃至図２８を参照しながら、４条刈り用の穀稈引起装置３１の詳細構造について説明する。図５及び図１５等に示すように、穀稈引起装置３１には、圃場の未刈り穀稈を起立させる複数の引起タイン４２ａを有する引起ケース４２を４条分備えている。図１７、図１８及び図２０〜図２４に示すように、各引起ケース４２は、前後一対の前面板２７１及び背面板２７２とにより、上下に長い中空状に形成されている。前面板２７１の前面側には表面化粧板２７３が取り付けられている。引起ケース４２内の上部側に配置された引起スプロケット２７４及びテンションローラ２７５と、下部側に配置された伝動ローラとしての従動ローラ２７６とに、エンドレス状（無端帯状）の引起タインチェン４２ｂが巻き掛けられている。引起タインチェン４２ｂに、複数（１条分）の引起タイン４２ａが等間隔に取り付けられている。
【００８０】
図２２に詳細に示すように、引起スプロケット２７４の回転中心部に連結される引起中継軸２７７は、ギヤケースとしての引起駆動ケース４１の下端開口部２７８から前向きに突出している。引起タイン駆動軸４１ａの回転動力は、引起駆動ケース４１内の下部側にある傘歯車機構２７９を介して、引起中継軸２７７に伝達される。引起中継軸２７７に伝達された動力にて引起スプロケット２７４が回転することにより、引起タインチェン４２ｂに取り付けられた複数の引起タイン４１ａが、収穫作業時に圃場の未刈り穀稈を起立させるように駆動することになる。図１８に詳細に示すように、前面板２７１と背面板２７２との間には、各引起タイン４２ａを横向きの突出姿勢に保持するためのタインガイド２８５が設けられている。
【００８１】
図１７及び図２２に示すように、引起駆動ケース４１のうち下端開口部２７８よりさらに下側の下端部は、引起ケース４２における背面板２７２に固定された連結ブラケット２８６にボルト締結されている。また、引起駆動ケース４１における長手中途部の左右両側には、係止ピン２８７が横方向外向きに突設されている。そして、前面板２７１と背面板２７２との間の上部側に設けられた囲いブロック２８８に固定された係合爪２８９を、引起駆動ケース４１側の係止ピン２８７に係脱可能に係合させている。実施形態の係合爪２８９は、取付け強度向上のために、引起駆動ケース４１の前面側にもボルト締結されている。
【００８２】
図１８〜図２１に示すように、従動ローラ２７６は前面板２７１と背面板２７２との間の下部側に位置している。従動ローラ２７６の回転中心部には、ボス軸体２８０が相対回転可能に装着されている。ボス軸体２８０は、背面板２７２とこれの背面側のうち従動ローラ２７６の箇所に設けられた補強板２８１とを貫通している。ボス軸体２８０の軸穴に頭部付きの支持ボルト２８２を前面板２７１側から背面板２７２を経て補強板２８１まで挿通させ、補強板２８１を貫通した支持ボルト２８２の先端側を、後方からのナット２８３にて締め付けることによって、引起ケース４２の下部側が支持ボルト２８２の頭部とナット２８３とにより挟み付け固定されている。すなわち、１組の支持ボルト２８２及びナット２８３によって、引起ケース４２の下部側は、分草フレーム３８の構成要素である分岐フレームとしての引起支持フレーム３８ｂに着脱可能に締結（連結）されている。従って、ナット２８３を緩めて外すだけで、引起ケース４２の下部側を引起支持フレーム３８ｂから分離することが可能になっている（図２０及び図２１参照）。支持ボルト２８２が支持軸体を構成している。
【００８３】
なお、補強板２８１には、後ろ向きに突出する位置決めピン２８４が取り付けられている。引起支持フレーム３８ｂ側の位置決め穴に、補強板２８１側の位置決めピン２８４を挿入することによって、引起ケース４２下部側の引起支持フレーム３８ｂに対する取付け位置が決まることになる。また、支持ボルト２８２の頭部は表面化粧板２７３にて隠されている。テンションローラ２７５は、引起駆動ケース４１の下端開口部２７８に、引起タインチェン４２ｂが緊張・弛緩する方向に移動可能となるように設けられている。
【００８４】
図１５〜図１７に示すように、中央の引起支持フレーム３８ｂには、穀稈搬送装置３１における株元搬送装置４５Ｒ，４５Ｌの穀稈搬送側に臨む中搬送ガイド２８４が取り付けられている。実施形態では、右側の中搬送ガイド２８４の先端側を、右側２条分の刈取り穀稈の株元側を後方に搬送する右株元搬送チェン４５Ｒの穀稈搬送側に対峙させている。右側の中搬送ガイド２８４の基端側が中央の引起支持フレーム３８ｂに着脱可能に締結されている。そして、左側の中搬送ガイド２８４の先端側を、左側２条分の刈取り穀稈の株元側を右株元搬送チェン４５Ｒの搬送終端側に合流させる左株元搬送チェン４５Ｌの穀稈搬送側に対峙させている。左側の中搬送ガイド２８４の基端側は、右側の中搬送ガイド２８４と同様に、中央の引起支持フレーム３８ｂに着脱可能に締結されている。
【００８５】
図１５乃至図１７に示す如く、左側と中央と右側に、引起横パイプとしての引起入力横ケース４０を三分割して形成する。引起変速ケース３９ｂに左側の引起駆動ケース４１を介して左側の引起入力横ケース４０の左側端を連結している。左側の引起入力横ケース４０の右側端に、中央左寄りの引起駆動ケース４１を介して中央の引起入力横ケース４０の左側端を連結している。中央の引起入力横ケース４０の右側端に、中央右寄りの引起駆動ケース４１を介して右側の引起入力横ケース４０の左側端を連結している。右側の引起入力横ケース４０の右側端に、右側の引起駆動ケース４１を介して引起縦フレーム５０を連結している。すなわち、三分割した引起入力横ケース４０を介して４条分の引起駆動ケース４１を横並びに連結している。従って、三分割した引起入力横ケース４０と４条分の引起駆動ケース４１とが、各引起ケース４２や刈取装置３全体を、穀稈引起力による変形から守るための強度メンバーに構成されている。
【００８６】
図１５、図１６及び図２４〜図２８に示す如く、三分割した引起入力横ケース４０と４条分の引起駆動ケース４１とに１本の引起入力横軸４０ａを貫通させている。引起駆動ケース４１の上部側にある両端開口部１３６内に設けられたベヤリング軸受１３１を介して、引起入力横軸４０ａを回転自在に軸支している。引起入力縦ケース３９内の引起入力縦軸３９ａには、一組のべベルギヤ機構１３２（図１５及び図１６参照）を介して引起入力横軸４０ａを連結している。引起入力横軸４０ａには、動力分岐機構を構成する四組のべベルギヤ機構１３３を介して４条分の引起タイン駆動軸４１ａを連結している。すなわち、４条分の引起タイン４２ａが引起入力横軸４０ａを介してそれぞれ駆動されるように構成している。実施形態の引起駆動ケース４１は、アルミダイカスト製で筒状に形成されている。また、実施形態では、引起駆動ケース４１が、その内部に動力分岐機構としてのベベルギヤ機構１３３、引起タイン駆動軸４１ａ、傘歯車機構２７９、引起中継軸２７７等を組み込んだ状態でユニット化されている。なお、三分割した引起入力横ケース４０は、刈取上方フレーム１２１に溶接された締結ブラケット１２２に、ケース固定ボルト１３４にて着脱可能にそれぞれ締結されている。
【００８７】
図２２乃至図２８に示す如く、引起駆動ケース４１の上部側には、隣接する引起入力横ケース４０の端部に形成された円筒開口部１３５に嵌る挿入ボス部としての両端開口部１３６が左右外向きに突出形成されている。引起駆動ケース４１の両端開口部１３６に、引起入力横ケース４０の端部に一体的に形成された円筒開口部１３５を被嵌させる。引起駆動ケース４１の両端開口部１３６に、引起入力横ケース４０の円筒開口部１３５を回動可能に差し込み嵌合させ、引起駆動ケース４１の両端開口部１３６に引起入力横軸４０ａを貫通させている（動力分岐機構におけるベベルギヤ機構１３３の上ベベルギヤ１３３ａを一体回転可能に貫通させている。）。引起入力横ケース４０に、引起駆動ケース４１が引起入力横軸４０ａ（横軸心）回りに回動可能に連結されている。引起入力横軸４０ａ回りに引起駆動ケース４１を回動させることによって、引起駆動ケース４１に一体的に連結された引起ケース４２も、引起入力横軸４０ａ回りに回動するように構成している。
【００８８】
図２２乃至図２８に示す如く、引起入力横ケース４０における一端側の円筒開口部１３５の外周に一端側フランジ１３７を一体的に形成する。引起入力横ケース４０における他端側の円筒開口部１３５の外周に他端側フランジ１３８を一体的に形成する。引起駆動ケース４１の上部側に膨出部１３９を一体的に形成する。円筒開口部１３５と両端開口部１３６を介して、引起入力横ケース４０と引起駆動ケース４１を合体させた（組み合わせた）ときに、引起入力横ケース４０の一端側フランジ１３７と、引起駆動ケース４１の膨出部１３９と、引起入力横ケース４０の他端側フランジ１３８とが当接するように構成している。
【００８９】
図２２乃至図２８に示す如く、引起入力横ケース４０の一端側フランジ１３７と、引起駆動ケース４１の膨出部１３９と、引起入力横ケース４０の他端側フランジ１３８とには、引起入力横軸４０ａ（横軸心）回りの取付け位相ごとに互いに対応するように、ボルト孔としてのボルト挿入孔１４１をそれぞれ形成する。引起入力横ケース４０の一端側フランジ１３７の一側方から各ボルト挿入孔１４１にケース連結ボルト１４２を挿入するように構成している。引起入力横ケース４０における他端側フランジ１３８のボルト挿入孔１４１は雌ねじ孔になっている。ケース連結ボルト１４２の先端側のネジ１４４を他端側フランジ１３８のボルト挿入孔１４１にねじ込むことによって、引起入力横ケース４０と引起駆動ケース４１とがケース連結ボルト１４２にて締結され、引起ケース４２が図２３の実線に示す穀稈引起し作業姿勢に支持されるように構成している。
【００９０】
図２４の実線に示すメンテナンス姿勢に引起ケース４２の下端側を上方に持上げたときに、引起入力横軸４０ａ（横軸心）回りの取付け位相に対応して、引起駆動ケース４１のボルト挿入孔１４１に連通するボルト孔としての装着孔１４５が、引起入力横ケース４０の両フランジ１３７，１３８に形成されている。引起入力横ケース４０における他端側フランジ１３８の装着孔１４５は雌ねじ孔になっている。引起駆動ケース４１と引起ケース４２を、図２３の実線に示す穀稈引起し作業姿勢から引起入力横軸４０ａ回りに一体的に回動させて、図２４の実線に示すメンテナンス姿勢に引起ケース４２の下端側を上方に持上げたときに、引起駆動ケース４１のボルト挿入孔１４１に両装着孔１４５が連通するように構成している。
【００９１】
すなわち、図２４の実線に示すメンテナンス姿勢に引起ケース４２の下端側を上方に持上げたときに、引起駆動ケース４１のボルト挿入孔１４１と、引起入力横ケース４０の装着孔１４５とに、ケース連結ボルト１４２を挿入するように構成している。ケース連結ボルト１４２の先端側のネジ１４４を他端側フランジの装着孔１４５にねじ込むことによって、引起入力横ケース４０と引起駆動ケース４１がケース連結ボルト１４２にて締結され、図２４の実線に示すメンテナンス姿勢（非穀稈引起し作業位置）に引起駆動ケース４１と引起ケース４２とが支持されるように構成している（図２４及び図２８参照）。
【００９２】
なお、図２４の実線に示すメンテナンス姿勢に引起ケース４２の下端側を上方に持上げたときに、引起駆動ケース４１のボルト挿入孔１４１と、引起入力横ケース４０の装着孔１４５とに、ケース連結ボルト１４２を挿入した状態では、引起入力横ケース４０の他端側フランジ１３８に装着ネジ孔１４６にケース連結ボルト１４２をねじ込んでいなくても、図２４の実線に示すメンテナンス姿勢（非穀稈引起し作業位置）に引起駆動ケース４１と引起ケース４２が支持されることは云うまでもない。
【００９３】
また、図２４の実線に示すメンテナンス姿勢に引起ケース４２の下端側を上方に持上げる場合、前記分草ボルト３８ｃの締結を解除して、分草フレーム３８の前端側から分草体３８ａを分離した後、ケース連結ボルト１４２の締結を解除して、引起ケース４２の下端側を上方に持上げ、装着孔１４５又は装着ネジ孔１４６にケース連結ボルト１４２を挿入して、図２４の実線に示すメンテナンス姿勢に引起ケース４２を支持するように構成している。すなわち、分草フレーム３８から分草体３８ａを分離し、引起ケース４２下部側のナット２８３を緩めて外して、引起ケース４２の下部側を引起支持フレーム３８ｂより分離してから、ケース連結ボルト１４２の締結を解除し、引起入力横軸４０ａ回りに引起ケース４２を回動させ、穀稈引起し位置から上方の非作業位置（メンテナンス位置）に引起ケース４２を移動させるように構成している。
【００９４】
（１０）．第３のまとめ
上記の記載並びに図１９〜図２１から明らかなように、走行機体１の前部に設けられた刈取装置３に、圃場に植立した未刈り穀稈を引き起こすための穀稈引起装置３１を備えているコンバインであって、前記穀稈引起装置３１における各引起ケース４２内の下部にある伝動ローラ２７６の回転中心部を、その下方の分草フレーム３８に着脱可能に取り付けることによって、前記各引起ケース４２の下部を前記分草フレーム３８に支持させているから、前記引起ケース４２下部の支持と、前記伝動ローラ２７６の回転可能な状態での支持とを、前記伝動ローラ２７６の回転中心部にて兼用できる。前記引起ケース４２及びその支持構造を簡素化して部品コストを抑制できる。また、前記分草フレーム３８に対する前記引起ケース４２の着脱作業性も向上する。
【００９５】
上記の記載並びに図１９〜図２１から明らかなように、前記伝動ローラ２７６の回転中心部である支持軸体２８２は、前記引起ケース４２の背面側に突出した状態で、前記伝動ローラ２７６を回転可能に軸支しており、前記支持軸体２８２の背面側への突出部が、前記分草フレーム３８に着脱可能に締結されるボルトとして機能しているから、対応するナット２８３をねじ込んだり緩めて外したりするだけで、前記引起ケース４２の下部を前記分草フレーム３８に対して簡単に取り付けたり・取り外したりできる。換言すると、前記分草フレーム３８に対する前記引起ケース４２の着脱作業性を格段に向上できる。
【００９６】
上記の記載並びに図１５〜図２８から明らかなように、前記各引起ケース４２の背面側に設けられたギヤケース４１と、隣り合う前記ギヤケース４１同士を連結する複数の引起横パイプ４０とが、前記引起ケース４２群の上部側において交互に配置されており、前記各引起横パイプ４０は前記刈取装置３の刈取上方フレーム１２１に支持されており、前記各ギヤケース４１は、前記引起横パイプ４０群の横軸心回りの上下方向に取付け位相が変更可能となるように、隣り合う前記引起横パイプ４０に着脱可能に連結されているから、前記支持軸体２８２の連結・連結解除と、前記ギヤケース４１の着脱とによって、簡単に前記引起ケース４２を通常の下向き回動姿勢で支持したり、上向き回動姿勢で支持したりできる。従って、複数機種のコンバインを混在させて製作する製造場所の組立工程での作業性や、複数機種のコンバインを扱う保守サービス場所での前記引起ケース４２の組み付け又は分解等のメンテナンス作業性を向上できる。
【００９７】
また、多条刈り用の複数の前記引起ケース４２と前記各ギヤケース４１を、例えば１条分毎に簡単に分解可能なユニット構造体等に形成できる。刈取り条数が異なる穀稈引起装置３１の製造コストを簡単に低減でき、且つ刈取り条数が異なる穀稈引起装置３１のメンテナンス作業性を向上できる。すなわち、一組の前記引起ケース４２及び前記ギヤケース４１を１条分の引起ユニットとして組み立てた状態で、多条用の前記引起ケース４２及び前記ギヤケース４１（複数の引起ユニット）に拡張して組み付けできる。更に、刈取り条数の異なる前記刈取装置３に、前記引起ケース４２及び前記ギヤケース４１（引起ユニット）を共用することも可能になる。
【００９８】
上記の記載並びに図１９〜図２１から明らかなように、前記穀稈引起装置３１から脱穀装置５に刈取穀稈を供給する穀稈搬送装置３３を備えており、前記分草フレーム３８の構成要素である分岐フレーム３８ｂには、前記穀稈搬送装置３３における株元搬送装置４５Ｒ，４５Ｌの穀稈搬送側に臨む中搬送ガイド２８４が着脱可能に取り付けられているから、前記引起ケース４２を通常の下向き回動姿勢で支持したり、上向き回動姿勢で支持したりすることを簡単に行える上に、前記中搬送ガイド２８４の取付け・取外しの作業を簡単に行える。従って、前記株元搬送装置３３周辺での穀稈の絡まりの修正が容易になる。
【００９９】
上記の記載並びに図１５〜図２８から明らかなように、刈取装置３の前部に、横並び状に位置する複数の引起ケース４２を有する穀稈引起装置３１を備えているコンバインであって、前記各引起ケース４２の背面側に設けられたギヤケース４１と、隣り合う前記ギヤケース４１同士を連結する複数の引起横パイプ４０とが、前記引起ケース４２群の上部側において交互に配置されており、前記各引起横パイプ４０は前記刈取装置３の刈取上方フレーム１２１に支持されており、前記各ギヤケース４１を、前記引起横パイプ４０群の横軸心回りの上下方向に取付け位相が変更可能となるように、隣り合う前記引起横パイプ４０に着脱可能に連結することによって、前記ギヤケース４１群と前記引起横パイプ４０群とが前記各引起ケース４２に対する強度メンバーに構成されているから、前記ギヤケース４１群と前記引起横パイプ４０群とによって、前記各引起ケース４２や前記刈取装置３を高剛性に支持できる。従って、収穫作業時における未刈り穀稈の取り込みで前記引起ケース４２等の姿勢が歪んで、その後刈り取られた穀稈の取り込み姿勢や取り込み量がばらつくおそれを抑制できる。
【０１００】
上記の記載並びに図１５〜図２８から明らかなように、前記各引起横パイプ４０には横長の引起入力横軸４０ａを貫通させており、前記各ギヤケース４１はアルミダイカスト製で筒状に形成されていて、内部に前記引起入力横軸４０ａから前記各引起ケース４２に向かう動力伝達を中継する動力分岐機構を組み込んだ状態でユニット化されており、前記引起入力横軸４０ａは、前記各動力分岐機構の上ベベルギヤ１３３ａを一体回転可能に貫通させているから、コンバインの製造に際して、動力分岐機構内蔵の前記ギヤケース４１を先行して組み立てておいてから、前記各引起ケース４２にユニットごと組み付けできる。従って、コンバインの製造ライン中において、前記穀稈引起装置３１の組付け工数を低減でき、製造コストの低減に寄与できる。
【０１０１】
上記の記載並びに図１５〜図２８から明らかなように、前記各ギヤケース４１の上部側には、隣接する前記引起横パイプ４０に嵌まる挿入ボス部１３６が左右外向きに突出形成されており、前記各引起横パイプ４０における左右各端部の外周に形成されたフランジ１３７，１３８と前記各ギヤケース４１の上部側１３９とには、前記取付け位相ごとの互いの対応箇所にボルト孔１４１，１４５が形成されており、前記各ギヤケース４１と、隣接する前記引起横パイプ４０との間において、互いに合致するボルト孔１４１，１４５にケース連結ボルト１４２をねじ込むように構成されているから、前記引起ケース４２を持上げ支持する部材を特別に設ける必要がない。前記ケース連結ボルト１４２を利用して、前記引起ケース４２を上方回動姿勢に簡単に支持できる。作業者が一方の手で前記引起ケース４２を持上げながら、他方の手で前記ケース連結ボルト１４２を装着して、前記穀稈搬送装置３３の前方を開放できる一方、作業者が一方の手で前記引起ケース４２を持上げた姿勢に支持しながら、他方の手で前記ケース連結ボルト１４２を取外して、前記引起ケース４２を下降させることができる。前記引起ケース４２や前記ギヤケース４１を分解することなく、穀稈引起し位置から上方の非作業位置に前記引起ケース４２を簡単に移動させることができる。
【０１０２】
上記の記載並びに図１５〜図２８から明らかなように、前記各ギヤケース４１の下端部は、これに対応する前記引起ケース４２の背面側にボルト締結されると共に、前記ギヤケース４１の中途部から横向き突出した係止ピン２８７に、前記引起ケース４２の背面側から突出した係合爪２８９を係脱可能に係合させているから、簡単な構成でありながら、前記ギヤケース４１に前記引起ケース４２をスムーズ且つ簡潔に組み付けでき、コンバインの製造場所での組付け作業性の向上に寄与できる。
【符号の説明】
【０１０３】
１  走行機体
２  走行クローラ（走行部）
３  刈取装置
３１  穀稈引起装置
３９  引起入力縦ケース（引起縦パイプ）
４０  引起入力横ケース
１３３  べベルギヤ機構
１３３ａ  上ベベルギヤ
１３５  円筒開口部
１３６  両端開口部
１３７  一端側フランジ
１３８  他端側フランジ
１３９  膨出部
１４１  ボルト挿入孔
１４２  ケース連結ボルト
１４５  装着孔
２７６  従動ローラ
２７７  引起中継軸
２７９  傘歯車機構
２８０  ボス軸体
２８２  支持ボルト
２８３  ナット
２８４  中搬送ガイド
２８７  係止ピン
２８９  係合爪
【図１】
0005437747.tif 000002
【図２】
0005437747.tif 000003
【図３】
0005437747.tif 000004
【図４】
0005437747.tif 000005
【図５】
0005437747.tif 000006
【図６】
0005437747.tif 000007
【図７】
0005437747.tif 000008
【図８】
0005437747.tif 000009
【図９】
0005437747.tif 000010
【図１０】
0005437747.tif 000011
【図１１】
0005437747.tif 000012
【図１２】
0005437747.tif 000013
【図１３】
0005437747.tif 000014
【図１４】
0005437747.tif 000015
【図１５】
0005437747.tif 000016
【図１６】
0005437747.tif 000017
【図１７】
0005437747.tif 000018
【図１８】
0005437747.tif 000019
【図１９】
0005437747.tif 000020
【図２０】
0005437747.tif 000021
【図２１】
0005437747.tif 000022
【図２２】
0005437747.tif 000023
【図２３】
0005437747.tif 000024
【図２４】
0005437747.tif 000025
【図２５】
0005437747.tif 000026
【図２６】
0005437747.tif 000027
【図２７】
0005437747.tif 000028
【図２８】
0005437747.tif 000029